(57)【特許請求の範囲】
【請求項１】
ピストンロッドにピストンとオイルシールとを組み付けるショックアブソーバの組み立て方法であって、
前記ピストンロッドに前記ピストンを組み付けるピストン組み付け工程と、
前記ピストンロッドの外周面に嵌合するスクレーパを移動して前記ピストンロッドに付着した異物を掻き落とすスクレーパ掻き落とし工程と、
前記ピストンロッドに前記オイルシールを組み付けるオイルシール組み付け工程とを順に行うことを特徴とするショックアブソーバの組み立て方法。
【請求項２】
前記ピストン組み付け工程と前記スクレーパ掻き落とし工程との間に、洗浄油をミスト状にして前記ピストンロッドに吹き付ける洗浄油ブロー工程を行うことを特徴とする請求項１に記載のショックアブソーバの組み立て方法。
【請求項３】
ショックアブソーバのピストンロッドにピストンを組み付けた後でオイルシールを組み付ける前にピストンロッドに付着した異物を取り除くショックアブソーバの組み立て装置であって、
前記ピストンロッドの外周面に嵌合するスクレーパと、
倒立ピストンロッド支持台とを備え、
この倒立ピストンロッド支持台は、
前記ピストンロッドを倒立させて支持する倒立支持部と、
前記スクレーパが移動されることによって前記ピストンロッドから掻き落とされる異物を吸引する吸引集積部とを備えたことを特徴とするショックアブソーバの組み立て装置。
【請求項４】
前記吸引集積部は、
前記倒立支持部のまわりに収集室を画成するケーシングと、
前記収集室に加圧空気を噴出するエアーブロー噴出口と、
前記収集室の空気を吸い込んで排出するエアー吸引口とを備えたことを特徴とする請求項３に記載のショックアブソーバの組み立て装置。
【請求項５】
前記スクレーパは、
円盤状の支持リングと、
この支持リングに結合され弾性材からなるスクレーパシールとを有し、
このスクレーパシールが前記ピストンロッドに摺接することを特徴とする請求項３または４に記載のショックアブソーバの組み立て装置。
【請求項６】
前記スクレーパは、
前記スクレーパシールが前記支持リングに着脱可能に結合されたことを特徴とする請求項３から５のいずれか一つに記載のショックアブソーバの組み立て装置。
【請求項７】
前記スクレーパシールは、
前記ピストンロッドに摺接する環状の第一、第二リップ部を有し、
この第一、第二リップ部はその断面が互いに並んで同一軸方向に向いて楔状に突出したことを特徴とする請求項３から６のいずれか一つに記載のショックアブソーバの組み立て装置。
【発明の詳細な説明】
【技術分野】
【０００１】
本発明は、車両等に搭載されるショックアブソーバの組み立て方法及び組み立て装置に関するものである。
【背景技術】
【０００２】
従来、この種のショックアブソーバは、ピストンロッドにピストンとベアリングとオイルシールとを組み付けたピストンロッドアッシーを設け、このピストンロッドアッシーをアブソーバケースに組み付けられるとともに、作動油及びガスが封入される（特許文献１参照）。
【特許文献１】特開平２００３−０１４０２９号公報
【発明の開示】
【発明が解決しようとする課題】
【０００３】
しかしながら、上記ピストンロッドアッシーの組み立て時、ピストンロッドにはその表面に塗られたり付着した油分を介して空気中に浮遊する異物（塵埃等）が付着したり、あるいは後述するようにピストンロッドに螺合したナットをカシメ固定する際に飛散する微少な金属片が付着する可能性があり、これらの異物が付着したままアブソーバケースにピストンロッドアッシーが組み付けられた場合、異物がロッド部とオイルシールの間に介在することによってオイルシールの密封性が低下したり、異物が作動油中に混入することによって所期の減衰力特性が得られなくなるという不具合が生じる可能性があった。
【０００４】
本発明は上記の問題点に鑑みてなされたものであり、ピストンロッドから異物が取り除かれた清浄な状態でピストンロッドアッシーの組み立てが行われるショックアブソーバの組み立て方法及び組み立て装置を提供することを目的とする。
【課題を解決するための手段】
【０００５】
本発明は、ピストンロッドにピストンとオイルシールとを組み付けるショックアブソーバの組み立て方法であって、ピストンロッドにピストンを組み付けるピストン組み付け工程と、ピストンロッドの外周面に嵌合するスクレーパを移動してピストンロッドに付着した異物を掻き落とすスクレーパ掻き落とし工程と、ピストンロッドにオイルシールを組み付けるオイルシール組み付け工程とを順に行うことを特徴とするものとした。
【０００６】
本発明は、ショックアブソーバのピストンロッドにオイルシールを組み付ける前にピストンロッドに付着した異物を取り除くショックアブソーバの組み立て装置であって、ピストンロッドの外周面に嵌合するスクレーパと、倒立ピストンロッド支持台とを備え、この倒立ピストンロッド支持台は、ピストンロッドを倒立させて支持する倒立支持部と、スクレーパが移動されることによってピストンロッドから掻き落とされる異物を倒立支持部のまわりに集めて吸引する吸引集積部とを備えたことを特徴とするものとした。
【発明の効果】
【０００７】
本発明のショックアブソーバの組み立て方法によると、ピストン組み付け工程が行われた後にスクレーパ掻き落とし工程が行われることにより、ピストン組み付け工程のカシメ作業時等にピストンロッドに付着する異物が、スクレーパ掻き落とし工程にてスクレーパを用いて掻き落とされ、ピストンロッドから異物が取り除かれた清浄な状態でピストンロッドアッシーの組み立て作業が完了する。
【０００８】
本発明のショックアブソーバの組み立て装置によると、ピストンロッドに付着した異物がスクレーパによって掻き落とされ、掻き落とされる異物が吸引集積部によって吸引して排除されることにより、ピストンロッドにオイルシールを組み付ける前に異物が取り除かれた清浄な状態にすることができる。
【発明を実施するための最良の形態】
【０００９】
以下、本発明の実施の形態を添付図面に基づいて説明する。
【００１０】
ショックアブソーバは、自動車等の車輪懸架装置に懸架バネと共に介装され、車輪の動きに連動して伸縮作動することによって車輪、懸架バネの振動を抑える減衰力を発生するものである。
【００１１】
図１〜図４は、ショックアブソーバを構成するピストンロッドアッシー１０を組み立てる工程を順に示している。
【００１２】
図１に示すように、ピストンロッド１１は、円柱状のロッド部１４と、このロッド部１４の上端部から同軸上に延びる上端ネジ部１２と、ロッド部１４の下端部から同軸上に延びる下端ネジ部１３と、この下端ネジ部１３の下端面に開口するカシメ穴１６とを有する。ロッド部１４の下端部は、ピストン１５を組み付ける側であり、ロッド部１４の上端部はその反対側として、以下説明を行う。
【００１３】
図２に示すように、ピストンロッド１１を倒立して支持し、ロッド部１４にピストン１５を嵌合し、下端ネジ部１３にナット９を螺合してピストン１５を締結する。
【００１４】
ピストン１５は、図示しないが、ピストン本体、ピストンリング等が一体になっているのが一般的である。
【００１５】
図２に示すように、ピストン１５を締結した後、カシメ穴１６にカシメ工具８を打ち込み、下端ネジ部１３を外径方向に拡げることによって、ナット９の緩み止めを行う。
【００１６】
図４に示すように、ピストンロッド１１にリバウンドクッション２３、ベアリング２２、オイルシール２１をそれぞれ組み付け、ピストンロッドアッシー１０の組み立てが完了する。
【００１７】
ベアリング（ロッドガイド）２２は、その外周部がアブソーバケースの開口端部に固定され、その内周部によってロッド部１４を摺動可能に支持するものである。
【００１８】
オイルシール２１はロッド部１４の外周面に摺接し、アブソーバケース内を密封するものである。
【００１９】
リバウンドクッション２３はショックアブソーバの伸張作動時にピストン１５がこれに当接することによって、ショックアブソーバ最伸長時の衝撃を緩和するものである。
【００２０】
こうしてピストンロッドアッシー１０が組み立てられた後、図示しない次の工程で、アブソーバケースにピストンロッドアッシー１０が組み付けられるとともに、作動流体が封入されることによって、ショックアブソーバが完成する。
【００２１】
なお、自動車に搭載されるショックアブソーバは、アブソーバケースの下端部が車輪側に連結され、ピストンロッド１１の上端部が車体に連結される。上端ネジ部１２は、これに螺合する図示しないナットによって車体に締結される。
【００２２】
ところで、ピストンロッド１１にはその表面に塗られたり付着した油分を介して空気中に浮遊する異物（塵埃等）が付着したり、静電気の影響等によって同じく異物が付着したり、あるいはカシメ穴１６にカシメ工具８が打ち込まれる際に飛散する微少な金属片が付着する可能性がある。ピストンロッド１１に異物が付着したままアブソーバケースにピストンロッドアッシー１０が組み付けられた場合、異物がロッド部１４とオイルシール２１の間に介在することによってオイルシール２１の密封性が低下したり、異物が作動流体中に混入することによって所期の減衰力特性が得られなくなるという不具合が生じる。
【００２３】
これに対処して、本発明は、図１〜図３に示すショックアブソーバの組み立て装置を用いてピストンロッド１１のロッド部１４に付着した異物を掻き落とす構成とする。
【００２４】
ショックアブソーバの組み立て装置は、ピストンロッド１１の外周面に嵌合するスクレーパ３０と、倒立ピストンロッド支持台１００とを備える。この倒立ピストンロッド支持台１００は、ピストンロッド１１を倒立させて支持する倒立支持部６１と、スクレーパ３０が移動されることによってピストンロッド１１から掻き落とされる異物を倒立支持部６１のまわりに集めて吸引する吸引集積部６０とを備える。
【００２５】
図１に示すように、スクレーパ３０は、円盤状の支持リング３１と、この支持リング３１に結合されるスクレーパシール３２とを有し、このスクレーパシール３２はゴム等の弾性材からなり、ロッド部１４に摺接する環状の第一、第二リップ部３３、３４を有する。第一、第二リップ部３３、３４は、その断面が楔状に形成され、支持リング３１を挟んで図１の上下方向について互いに反対方向に突出する。スクレーパ３０がロッド部１４に嵌められた状態で、第一、第二リップ部３３、３４がその弾性復元力によってロッド部１４に密着し、ロッド部１４に摺接することによりロッド部１４に付着した異物を掻き落とすようになっている。第一、第二リップ部３３、３４は、掻き落とし方向に傾斜して楔状に突出しているため、ロッド部１４に付着した異物を有効に掻き落とすことができる。
【００２６】
図２に示す洗浄油ブロー器５５は、洗浄油をミスト状にして吹き出すものである。この洗浄油は、アブソーバケースに封入される作動流体と同じものを用いるか、あるいは作動流体とは異なる合成油を用いる。
【００２７】
図３に示す吸引集積部６０は、スクレーパ３０によって掻き落とされた異物を吸引して排除するものである。
【００２８】
倒立支持部６１は、ピストンロッド１１の上端ネジ部１２が挿入される支持穴６１ａと、ロッド部１４の上端面を着座させる座面６１ｂと、この座面６１ｂの外周縁部から下方に延びる円錐面状の斜面６１ｃとを有し、ピストンロッド１１を倒立した状態で支持するようになっている。
【００２９】
吸引集積部６０は、倒立したピストンロッド１１の上端部を支持する倒立支持部６１のまわりに収集室６２を画成するケーシング６３と、収集室６２に加圧空気を噴出するエアーブロー噴出口６６と、収集室６２の空気を吸い込んで排出するエアー吸引口６７とを備える。
【００３０】
円筒形状のケーシング６３は、倒立支持部６１を囲む内壁面６３ａと、スクレーパ３０の支持リング３１に対峙し、当接させる上壁面６３ｂとを有する。
【００３１】
ケーシング６３の内壁面６３ａには複数のエアーブロー噴出口６６が周方向に均等な間隔を持って開口する。エアーブロー噴出口６６は収集室６２に向かって下向きに傾斜し、座面６１ｂに着座したスクレーパ３０の第一リップ部３４に沿うように開口し、エアーブロー噴出口６６から噴出する加圧空気が第一リップ部３４に付着した異物を吹き飛ばすようになっている。
【００３２】
ケーシング６３の内壁面６３ａの下端部には複数のエアー吸引口６７が周方向に均等な間隔を持って開口する。エアー吸引口６７は収集室６２の底面６２ａに沿うように開口し、底面６２ａに集められた異物を収集室６２の空気と共に吸い込んで排出するようになっている。
【００３３】
エアーブロー噴出口６６は図示しない加圧空気供給源に連通し、所定の圧力Ａ（Ｐａ）に高められた空気が導かれる。エアー吸引口６７は図示しない負圧源に連通し、所定の圧力Ｂ（Ｐａ）に下げられ負圧が導かれる。エアーブロー噴出口６６に導かれる正圧力Ａの絶対値よりエアー吸引口６７に導かれる負圧力Ｂの絶対値が大きくなるように設定する。これにより、エアーブロー噴出口６６から収集室６２に吹き込まれる空気流が収集室６２にて乱れて収集室６２の異物が拡散することが抑えられ、収集室６２の異物が空気と共にエアー吸引口６７から排出されることが促される。
【００３４】
以下、ピストンロッドアッシー１０を組み立てる工程を順に説明する。
【００３５】
〈スクレーパシール組み付け工程〉
図１に示すように、正立支持台４０にピストンロッド１１を立てて支持し、スクレーパ３０をピストンロッド１１に嵌合させる。このとき、上端ネジ１２に円錐筒状のガイド筒６を嵌合し、このガイド筒６を介してスクレーパ３０をピストンロッド１１に嵌合させる。ガイド筒６がロッド部１４の上端と上端ネジ部１２間の段差を埋めることにより、円滑にスクレーパ３０をロッド部１４に嵌合させることができるとともに、スクレーパシール３２が上端ネジ部１２に当たって損傷することを回避できる。
【００３６】
続いて、スクレーパ３０を２点鎖線で示すようにピストン１５が組み付けられるロッド部１４の下端部まで下降させる。
【００３７】
なお、ロッド部１４のピストン１５の近傍に中間ストッパが設けられ、ショックアブソーバの伸張作動時に中間ストッパがリバウンドクッション２３に当接することによって、ショックアブソーバがそれ以上に伸張作動することを止めるように構成されているものがある。この場合、予め中間ストッパをロッド部１４に装着しておき、その後スクレーパ３０を中間ストッパに当接するまで下降させて、その位置にスクレーパ３０を取り付ける。
【００３８】
〈ピストン組み付け工程〉
図２に示すように、組み付け台５０にピストンロッド１１を倒立させて支持し、ピストン１５をロッド部１４の下端部に嵌合し、下端ネジ部１３にナット９を螺合してピストン１５を締結する。こうしてピストン１５を締結した後、カシメ穴１６にカシメ工具８を打ち込み、ナット９の緩み止めを行う。
【００３９】
〈洗浄油ブロー工程〉
図２に示すように、洗浄油ブロー器５５から洗浄油をミスト状にして吹き出し、ロッド部１４に洗浄油を付着させる。この洗浄油によってロッド部１４に付着した異物がロッド部１４から剥離することが促される。
【００４０】
〈スクレーパ掻き落とし工程〉
図３に示すように、倒立支持部６１にピストンロッド１１を倒立させて支持し、ロッド部１４の外周面に嵌合するスクレーパ３０を下降させて、ピストンロッド１１のロッド部１４に付着した異物を掻き落とす。
【００４１】
このとき、断面楔状の第一リップ部３３がその弾性復元力によってロッド部１４の外周面に密着しながら摺接し、洗浄油によって剥離した異物をもれなくロッド部１４から掻き落とす。
【００４２】
そして、ロッド部１４から掻き落とされた異物は、吸引集積部６０が吸引して排除する。これにより、掻き落とされた異物が再びロッド部１４に付着することを防止する。
【００４３】
〈オイルシール組み付け工程〉
図４に示すように、ピストンロッド１１にリバウンドクッション２３、ベアリング２２、オイルシール２１が円錐筒状のガイド筒７を介してそれぞれ組み付けられる。これにより、ロッド部１４から異物が取り除かれた清浄な状態でピストンロッドアッシー１０の組み立て作業が完了する。
【００４４】
上記の各工程は、作業者が手動で行うが、これに限らず、組み立てラインを設けて自動的に行うことも可能である。
【００４５】
本実施の形態は、ピストンロッド１１にピストン１５とオイルシール２１とを組み付けるショックアブソーバの組み立て方法であって、ピストンロッド１１にピストン１５を組み付けるピストン組み付け工程と、ピストンロッド１１の外周面に嵌合するスクレーパ３０を移動してピストンロッド１１に付着した異物を掻き落とすスクレーパ掻き落とし工程と、ピストンロッド１１にオイルシール２１を組み付けるオイルシール組み付け工程とを順に行うことを特徴とする。
【００４６】
上記構成に基づき、ピストン組み付け工程が行われた後にスクレーパ掻き落とし工程が行われることにより、ピストン組み付け工程のカシメ作業時等にピストンロッド１１に付着する異物が、スクレーパ掻き落とし工程にてスクレーパ３０を用いて掻き落とされ、ピストンロッド１１から異物が取り除かれた清浄な状態でピストンロッドアッシー１０の組み立て作業が完了する。これにより、その後、組み立てられたショックアブソーバはピストンロッド１１とオイルシール２１の間に異物が介在することが防止され、オイルシール２１の密封性が維持されるとともに、異物が作動流体中に混入することが防止され、所期の減衰力を損なうことを防止できる。
【００４７】
本実施の形態は、ピストン組み付け工程とスクレーパ掻き落とし工程との間に、洗浄油をミスト状にしてピストンロッド１１に吹き付ける洗浄油ブロー工程を行うことを特徴とする。
【００４８】
上記構成に基づき、洗浄油によってピストンロッド１１に付着した異物がピストンロッド１１の表面から剥離することが促され、スクレーパ３０によって異物を取り除くことが有効に行われる。
【００４９】
本実施の形態は、ショックアブソーバのピストンロッド１１にオイルシール２１を組み付ける前にピストンロッド１１に付着した異物を取り除くショックアブソーバの組み立て装置であって、ピストンロッド１１の外周面に嵌合するスクレーパ３０と、倒立ピストンロッド支持台１００とを備え、この倒立ピストンロッド支持台１００は、ピストンロッド１１を倒立させて支持する倒立支持部６１と、スクレーパ３０が移動されることによってピストンロッド１１から掻き落とされる異物を倒立支持部６１のまわりに集めて吸引する吸引集積部６０とを備えたことを特徴とする。
【００５０】
上記構成に基づき、ピストンロッド１１に付着した異物がスクレーパ３０によって掻き落とされ、掻き落とされる異物が吸引集積部６０によって吸引して排除されることにより、ピストンロッド１１をオイルシール２１を組み付ける前に異物が取り除かれた清浄な状態にすることができる。これにより、その後、組み立てられたショックアブソーバはピストンロッド１１とオイルシール２１の間に異物が介在することが防止され、オイルシール２１の密封性が維持されるとともに、異物が作動流体中に混入することが防止され、所期の減衰力特性を損なうことを防止できる。
【００５１】
本実施の形態の吸引集積部６０は、倒立支持部６１のまわりに収集室６２を画成するケーシング６３と、収集室６２に加圧空気を噴出するエアーブロー噴出口６６と、収集室６２の空気を吸い込んで排出するエアー吸引口６７とを備えたことを特徴とする。
【００５２】
上記構成に基づき、エアーブロー噴出口６６から噴出する加圧空気がスクレーパ３０に付着した異物を収集室６２内に吹き飛ばし、収集室６２に集められた異物をエアー吸引口６７から空気と共に吸い込んで排出する。こうして、ピストンロッド１１から掻き落とされた異物を吸引集積部６０が吸引して排除することにより、掻き落とされた異物が再びピストンロッド１１に付着することを防止できる
本実施の形態のスクレーパ３０は、円盤状の支持リング３１と、この支持リング３１に結合され弾性材からなるスクレーパシール３２とを有し、このスクレーパシール３２がピストンロッド１１に摺接することを特徴とする。
【００５３】
上記構成に基づき、スクレーパシール３２がその弾性復元力によってピストンロッド１１の外周面に密着しながら摺接し、ピストンロッド１に付着した異物がスクレーパ３０によって掻き落とされる。
【００５４】
他の実施の形態として、図５に示すスクレーパ３０は、円盤状の支持リング７５と、この支持リング７５に着脱可能に結合されるスクレーパシール７０とを有する。このスクレーパシール７０はゴム等の弾性材からなり、ロッド部１４に摺接する環状のリップ部７１を有する。リップ部７１は、その断面が楔状に形成され、ピストンロッド１１のロッド部１４に摺接することにより、ロッド部１４に付着した異物を掻き落とすようになっている。
【００５５】
スクレーパ３０をピストンロッド１１に嵌合させるスクレーパシール組み付け工程にて、リップ部７１が嵌合方向と逆向きに傾斜しているため、この組み付け作業を容易に行うことができる。
【００５６】
支持リング７５は断面Ｌ字形をしており、スクレーパシール７０を嵌合させる筒部７５ａを有する。この筒部７５ａには環状溝７５ｂが形成される一方、スクレーパシール７０には環状溝７５ｂに嵌合する環状凸部７２が一体形成され、支持リング７５に対するスクレーパシール７０の抜け止めが行われる。
【００５７】
本実施の形態のスクレーパ３０は、スクレーパシール７０が支持リング７５に着脱可能に結合されるため、支持リング７５からスクレーパシール７０を取り外すことにより、スクレーパシール７０の内側に付着した異物を取り除く清掃作業が容易に行える。
【００５８】
他の実施の形態として、図６に示すスクレーパ３０は、円盤状の支持リング８５と、この支持リング８５に結合されるスクレーパシール８０とを有し、このスクレーパシール４０はゴム等の弾性材からなり、ロッド部１４に摺接する環状の第一、第二リップ部８３、８４を有する。第一、第二リップ部８３、８４は、その断面が楔状に形成され、互いに並んで同一軸方向に向いて突出し、それぞれロッド部１４に摺接することによりロッド部１４に付着した異物を掻き落とすようになっている。
【００５９】
本実施の形態のスクレーパシール８０は、ピストンロッド１１に摺接する環状の第一、第二リップ部８３、８４を有し、この第一、第二リップ部８３、８４はその断面が互いに並んで同一軸方向に向いて楔状に突出するため、スクレーパ掻き落とし工程にて第一、第二リップ部８３、８４がそれぞれピストンロッド１１に摺接することにより、ピストンロッド１１に付着した異物を掻き落とす効果を高められる。
【００６０】
また、スクレーパ３０をピストンロッド１１に嵌合させるスクレーパシール組み付け工程にて、第一、第二リップ部８３、８４が嵌合方向と逆向きに傾斜しているため、この組み付け作業を容易に行うことができる。
【００６１】
本発明は上記の実施の形態に限定されずに、その技術的な思想の範囲内において種々の変更がなしうることは明白である。
【図面の簡単な説明】
【００６２】
【図１】本発明の実施の形態において、スクレーパシール組み付け工程を示す説明図である。
【図２】同じくピストン組み付け工程、洗浄油ブロー工程を示す説明図である。
【図３】同じくスクレーパ掻き落とし工程を示す説明図である。
【図４】同じくオイルシール組み付け工程を示す説明図である。
【図５】他の実施の形態を示すスクレーパの断面図である。
【図６】さらに他の実施の形態を示すスクレーパの断面図である。
【符号の説明】
【００６３】
１    ピストンロッド
６    ガイド筒
７    ガイド筒
８    カシメ工具
９    ナット
１０    ピストンロッドアッシー
１１    ピストンロッド
１２    上端ネジ部
１３    下端ネジ部
１４    ロッド部
１５    ピストン
２１    オイルシール
２２    ベアリング
２３    リバウンドクッション
３０    スクレーパ
３１    支持リング
３２    スクレーパシール
５５    洗浄油ブロー器
６０    吸引集積部
６１    倒立支持部
６２    収集室
６３    ケーシング
６６    エアーブロー噴出口
６７    エアー吸引口
７０    スクレーパシール
７５    支持リング
８０    スクレーパシール
８３    第一リップ部
８４    第二リップ部
８５    支持リング
１００    倒立ピストンロッド支持台
【図１】
0004896072.tif 000002
【図２】
0004896072.tif 000003
【図３】
0004896072.tif 000004
【図４】
0004896072.tif 000005
【図５】
0004896072.tif 000006
【図６】
0004896072.tif 000007